(57)【要約】【課題】電極組立体全体における正負極の重量及び正負極間の容量ばらつきを低減できる電極組立体の製造方法を提供する。【解決手段】電極組立体の製造方法は、複数の正極及び負極の各々について、重量に基づいて設定された複数の正極群及び負極群に各々仕分け、重量が最小の1番目から重量がｍＰ番目までの正極群及び重量が最小の1番目から重量がｍＮ番目までの負極群から正極及び負極を交互に取り出し、積み重ねて複数の第1半積層体を形成し、重量がｍＰ＋1番目から重量が最大のｎＰ番目までの正極群及びｍＮ＋1番目から重量が最大のｎＮ番目までの負極群から正極及び負極を交互に取り出し、積み重ねて複数の第2半積層体を形成し、一の第1半積層体と一の第2半積層体との合計重量が目標値を基準とした許容範囲内となるように組み合わせて積層方向に沿って徐々に重くなるように積み重ねた電極組立体を形成する。【選択図】図３
2015115097.tif 000002
【特許請求の範囲】
【請求項１】
複数の正極及び負極のそれぞれについて、重量に基づいて設定された複数の正極群及び負極群にそれぞれ仕分ける仕分け工程と、
前記複数の正極群及び負極群を重量に基づいてそれぞれ順番に並べた際に、重量が最も小さな１番目から重量がｍＰ番目までの正極群及び重量が最も小さな１番目から重量がｍＮ番目までの負極群から、前記正極及び前記負極を交互に取り出し、前記正極及び前記負極のそれぞれの重量が徐々に重くなるように又は軽くなるように前記正極及び前記負極を交互に積み重ねて、複数の第１半積層体を形成する第１積層工程と、
重量がｍＰ＋１番目から重量が最も大きなｎＰ番目までの正極群及びｍＮ＋１番目から重量が最も大きなｎＮ番目までの負極群から、前記正極及び前記負極を交互に取り出し、前記正極及び前記負極のそれぞれの重量が徐々に重くなるように又は軽くなるように前記正極及び前記負極を交互に積み重ねて、複数の第２半積層体を形成する第２積層工程と、
複数の前記第１半積層体及び複数の前記第２半積層体の中から、一の第１半積層体と一の第２半積層体とを合わせた重量が目標値を基準とした許容範囲内となるように、前記一の第１半積層体と前記一の第２半積層体との組合せを選択する組み合わせ工程と、
前記組み合わせ工程において選択された前記一の第１半積層体と前記一の第２半積層体とを、前記正極及び前記負極のそれぞれの重量が積層方向に沿って徐々に重くなるように又は軽くなるように積み重ねて電極組立体を形成する第３積層工程と、
を含む、電極組立体の製造方法。
【請求項２】
前記第１積層工程では、前記正極及び前記負極のそれぞれの重量が徐々に重くなるように前記正極及び前記負極を交互に積み重ねて、複数の第１半積層体を形成し、
前記第２積層工程では、前記正極及び前記負極のそれぞれの重量が徐々に重くなるように前記正極及び前記負極を交互に積み重ねて、複数の第２半積層体を形成し、
前記第３積層工程では、前記組み合わせ工程において選択された前記一の第１半積層体と前記一の第２半積層体とを、前記第１半積層体における積み終わり側の電極と前記第２半積層体における積み始め側の電極とが互いに対向するように積み重ねて電極組立体を形成する、
請求項１に記載の電極組立体の製造方法。
【請求項３】
前記第１半積層体における積み終わり側の電極の極性と、前記第２半積層体における積み始め側の電極の極性とが互いに異なっている、
請求項２に記載の電極組立体の製造方法。
【請求項４】
前記第１積層工程では、前記正極及び前記負極のそれぞれの重量が徐々に重くなるように前記正極及び前記負極を交互に積み重ねて、複数の第１半積層体を形成し、
前記第２積層工程では、前記正極及び前記負極のそれぞれの重量が徐々に軽くなるように前記正極及び前記負極を交互に積み重ねて、複数の第２半積層体を形成し、
前記第３積層工程では、前記組み合わせ工程において選択された前記一の第１半積層体と前記一の第２半積層体とを、前記第１半積層体における積み終わり側の電極と前記第２半積層体における積み終わり側の電極とが互いに対向するように積み重ねて電極組立体を形成する、
請求項１に記載の電極組立体の製造方法。
【請求項５】
前記第１半積層体における積み終わり側の電極の極性と、前記第２半積層体における積み終わり側の電極の極性とが互いに異なっている、
請求項４に記載の電極組立体の製造方法。
【請求項６】
ケースと、
前記ケース内に収容されており、請求項１〜５の何れか一項に記載の製造方法により製造された電極組立体と、
を備える、蓄電装置。
【請求項７】
複数の正極及び負極のそれぞれについて、重量に基づいて設定された複数の正極群及び負極群にそれぞれ仕分ける仕分け部と、
前記複数の正極群及び負極群を重量に基づいてそれぞれ順番に並べた際に、重量が最も小さな１番目から重量がｍＰ番目までの正極群及び重量が最も小さな１番目から重量がｍＮ番目までの負極群から、前記正極及び前記負極を交互に取り出し、前記正極及び前記負極のそれぞれの重量が徐々に重くなるように又は軽くなるように前記正極及び前記負極を交互に積み重ねて、複数の第１半積層体を形成する第１積層部と、
重量がｍＰ＋１番目から重量が最も大きなｎＰ番目までの正極群及びｍＮ＋１番目から重量が最も大きなｎＮ番目までの負極群から、前記正極及び前記負極を交互に取り出し、前記正極及び前記負極のそれぞれの重量が徐々に重くなるように又は軽くなるように前記正極及び前記負極を交互に積み重ねて、複数の第２半積層体を形成する第２積層部と、
複数の前記第１半積層体及び複数の前記第２半積層体の中から、一の第１半積層体と一の第２半積層体とを合わせた重量が目標値を基準とした許容範囲内となるように、前記一の第１半積層体と前記一の第２半積層体との組合せを選択する組み合わせ部と、
前記組み合わせ部によって選択された前記一の第１半積層体と前記一の第２半積層体とを、前記正極及び前記負極のそれぞれの重量が積層方向に沿って徐々に重くなるように又は軽くなるように積み重ねて電極組立体を形成する第３積層部と、
を備える、電極組立体の製造装置。
【請求項８】
前記第１積層部では、前記正極及び前記負極のそれぞれの重量が徐々に重くなるように前記正極及び前記負極を交互に積み重ねて、複数の第１半積層体を形成し、
前記第２積層部では、前記正極及び前記負極のそれぞれの重量が徐々に重くなるように前記正極及び前記負極を交互に積み重ねて、複数の第２半積層体を形成し、
前記第３積層部では、前記組み合わせ部において選択された前記一の第１半積層体と前記一の第２半積層体とを、前記第１半積層体における積み終わり側の電極と前記第２半積層体における積み始め側の電極とが互いに対向するように積み重ねて電極組立体を形成する、
請求項７に記載の電極組立体の製造装置。
【請求項９】
前記第１半積層体における積み終わり側の電極の極性と、前記第２半積層体における積み始め側の電極の極性とが互いに異なっている、
請求項８に記載の電極組立体の製造装置。
【請求項１０】
前記第１積層部では、前記正極及び前記負極のそれぞれの重量が徐々に重くなるように前記正極及び前記負極を交互に積み重ねて、複数の第１半積層体を形成し、
前記第２積層部では、前記正極及び前記負極のそれぞれの重量が徐々に軽くなるように前記正極及び前記負極を交互に積み重ねて、複数の第２半積層体を形成し、
前記第３積層部では、前記組み合わせ部によって選択された前記一の第１半積層体と前記一の第２半積層体とを、前記第１半積層体における積み終わり側の電極と前記第２半積層体における積み終わり側の電極とが互いに対向するように積み重ねて電極組立体を形成する、
請求項７に記載の電極組立体の製造装置。
【請求項１１】
前記第１半積層体における積み終わり側の電極の極性と、前記第２半積層体における積み終わり側の電極の極性とが互いに異なっている、
請求項１０に記載の電極組立体の製造装置。
【発明の詳細な説明】
【技術分野】
【０００１】
本発明は、電極組立体の製造方法、蓄電装置及び電極組立体の製造装置に関する。
【背景技術】
【０００２】
正極と負極とによって構成された電極組立体を備える蓄電装置が知られている。電極組立体は、矩形状の正極板と負極板とをセパレータを介して積層することにより製造される（以下、正極及び負極を合わせて「極板」とも称す。）。電極組立体に用いられる極板は、一般的に、単板を複数枚採取できる大板を製造し、その大板を一括して切断し、複数枚の単板が形成される。活物質の重量分布が大板の部位によってばらつかないようにするのは極めて困難であることから、このようにして形成された単板は重量が異なっている。
【０００３】
そのため、この単板群を用いて極性の異なる単板を交互に積層して電極組立体を製造した場合、大板のどの部位の単板を用いたかによって正極又は負極の重量がばらついてしまう場合がある。例えば、重量の製造公差が最大の正極と最小の負極とセパレータとを組み合わせた電極組立体を製造すると、正極と負極との間の容量バランスがくずれ、金属成分の析出及び過充電などの不具合が生じてしまうことが考えられる。
【０００４】
このような問題を解消するため、例えば、特許文献１（特開平１１−１５４５３１号公報）には、単板の重量を測定して重量選別を行い、電極組立体を構成する単板の総重量が所定範囲に納まるように単板を組み合わせる方法が開示されている。
【先行技術文献】
【特許文献】
【０００５】
【特許文献１】特開平１１−１５４６３１号公報
【発明の概要】
【発明が解決しようとする課題】
【０００６】
しかしながら、上記従来の製造方法では、電極組立体全体の重量ばらつきを小さくすることができるものの、互いに隣接する極板同士に着目すると互いの容量に差がある部分が発生することがある。電極組立体にこのような部分があると、ＳＯＣ（State Of Charge：充電状態）ムラが発生する場合があり、例えば、蓄電装置の寿命が短くなるおそれがある。
【０００７】
そこで、本発明の目的は、電極組立体を製造するに際し、電極組立体全体における正極と負極との重量ばらつきを低減すると共に、正極と負極との間の容量ばらつきを低減することができる電極組立体の製造方法及び電極組立体の製造装置を提供することにある。また、電極組立体全体における正極と負極との重量ばらつきを低減すると共に、正極と負極との間の容量ばらつきを低減することができる電極組立体を備える蓄電装置を提供することにある。
【課題を解決するための手段】
【０００８】
本発明の一側面に係る電極組立体の製造方法は、複数の正極及び負極のそれぞれについて、重量に基づいて設定された複数の正極群及び負極群にそれぞれ仕分ける仕分け工程と、複数の正極群及び負極群を重量に基づいてそれぞれ順番に並べた際に、重量が最も小さな１番目から重量がｍＰ番目までの正極群及び重量が最も小さな１番目から重量がｍＮ番目までの負極群から、正極及び負極を交互に取り出し、正極及び負極のそれぞれの重量が徐々に重くなるように又は軽くなるように正極及び負極を交互に積み重ねて、複数の第１半積層体を形成する第１積層工程と、重量がｍＰ＋１番目から重量が最も大きなｎＰ番目までの正極群及びｍＮ＋１番目から重量が最も大きなｎＮ番目までの負極群から、正極及び負極を交互に取り出し、正極及び負極のそれぞれの重量が徐々に重くなるように又は軽くなるように正極及び負極を交互に積み重ねて、複数の第２半積層体を形成する第２積層工程と、複数の第１半積層体及び複数の第２半積層体の中から、一の第１半積層体と一の第２半積層体とを合わせた重量が目標値を基準とした許容範囲内となるように、一の第１半積層体と一の第２半積層体との組合せを選択する組み合わせ工程と、組み合わせ工程において選択された一の第１半積層体と一の第２半積層体とを、正極及び負極のそれぞれの重量が積層方向に沿って徐々に重くなるように又は軽くなるように積み重ねて電極組立体を形成する第３積層工程と、を含んでいる。
【０００９】
本発明の一側面に係る電極組立体の製造装置は、複数の正極及び負極のそれぞれについて、重量に基づいて設定された複数の正極群及び負極群にそれぞれ仕分ける仕分け部と、複数の正極群及び負極群を重量に基づいてそれぞれ順番に並べた際に、重量が最も小さな１番目から重量がｍＰ番目までの正極群及び重量が最も小さな１番目から重量がｍＮ番目までの負極群から、正極及び負極を交互に取り出し、正極及び負極のそれぞれの重量が徐々に重くなるように又は軽くなるように正極及び負極を交互に積み重ねて、複数の第１半積層体を形成する第１積層部と、重量がｍＰ＋１番目から重量が最も大きなｎＰ番目までの正極群及びｍＮ＋１番目から重量が最も大きなｎＮ番目までの負極群から、正極及び負極を交互に取り出し、正極及び負極のそれぞれの重量が徐々に重くなるように又は軽くなるように正極及び負極を交互に積み重ねて、複数の第２半積層体を形成する第２積層部と、複数の第１半積層体及び複数の第２半積層体の中から、一の第１半積層体と一の第２半積層体とを合わせた重量が目標値を基準とした許容範囲内となるように、一の第１半積層体と一の第２半積層体との組合せを選択する組み合わせ部と、組み合わせ部によって選択された一の第１半積層体と一の第２半積層体とを、正極及び負極のそれぞれの重量が積層方向に沿って徐々に重くなるように又は軽くなるように積み重ねて電極組立体を形成する第３積層部と、を備えている。
【００１０】
これらの製造方法及び製造装置では、第１半積層体と第２半積層体とをそれぞれ複数形成した後に、第１半積層体と第２半積層体とを合わせた重量が目標値を基準とした許容範囲内となるように選択し、これらを積み重ねて電極組立体を形成している。これにより、電極組立体としての全体重量のばらつきを所定内の範囲に設定し易くできる。また、重量に基づいてそれぞれ設定された正極群及び負極群に仕分けられた正極及び負極を、正極及び負極のそれぞれの重量が徐々に重くなるように又は軽くなるように積み重ねるので、隣り合う正極と負極との重量差（活物質の重量差）を一定の範囲に設定し易くできる。すなわち、隣り合う正極と負極とにおいて、正極の容量Ｐに対する負極の容量Ｎの比（Ｎ／Ｐ）を所定内の範囲に設定し易くなる。
【００１１】
なお、ここでは、正極群における順番ｍＰと負極群における順番ｍＮとで互いに異なっていてもよい。例えば、正極群を４番目までとし、負極群を５番目までとしてもよい。また、同様に、正極群における重量の順番ｎＰと負極群における重量の順番ｎＮとが互いに異なっていてもよい。
【００１２】
また、一実施形態において、電極組立体の製造方法は、第１積層工程では、正極及び負極のそれぞれの重量が徐々に重くなるように正極及び負極を交互に積み重ねて、複数の第１半積層体を形成し、第２積層工程では、正極及び負極のそれぞれの重量が徐々に重くなるように正極及び負極を交互に積み重ねて、複数の第２半積層体を形成し、第３積層工程では、組み合わせ工程において選択された一の第１半積層体と一の第２半積層体とを、第１半積層体における積み終わり側の電極と第２半積層体における積み始め側の電極とが互いに対向するように積み重ねて電極組立体を形成してもよい。
【００１３】
また、一実施形態において、電極組立体の製造装置では、第１積層部が、正極及び負極のそれぞれの重量が徐々に重くなるように正極及び負極を交互に積み重ねて、複数の第１半積層体を形成し、第２積層部が、正極及び負極のそれぞれの重量が徐々に重くなるように正極及び負極を交互に積み重ねて、複数の第２半積層体を形成し、第３積層部が、組み合わせ部において選択された一の第１半積層体と一の第２半積層体とを、第１半積層体における積み終わり側の電極と第２半積層体における積み始め側の電極とが互いに対向するように積み重ねて電極組立体を形成してもよい。
【００１４】
これらの製造方法及び製造装置では、第１半積層体における積み終わり側の電極及び第２半積層体における積み始め側の電極同士が互いに対向するように積み重ねることで、正極及び負極のそれぞれの重量が徐々に軽くなるように又は重くなるような電極組立体を形成することができる。第１半積層体における積み終わり側の電極及び第２半積層体における積み始め側の電極同士を互いに対向して積み重ねるだけの簡易な作業で電極組立体を形成することができる。
【００１５】
また、一実施形態において、電極組立体の製造方法は、第１半積層体における積み終わり側の電極の極性と、第２半積層体における積み始め側の電極の極性とが互いに異なっていてもよい。
【００１６】
また、一実施形態において、電極組立体の製造装置は、第１半積層体における積み終わり側の電極の極性と、第２半積層体における積み始め側の電極の極性とが互いに異なっていてもよい。
【００１７】
これらの電極組立体の製造方法及び製造装置では、第１半積層体における積み終わり側の電極が正極であれば、第２半積層体における積み始め側の電極を負極とし、第１半積層体における積み終わり側の電極が負極であれば、第２半積層体における積み始め側の電極を正極としている。これにより、正極と負極とが交互に積層された電極組立体を形成することができる。
【００１８】
また、一実施形態において、電極組立体の製造方法は、第１積層工程では、正極及び負極のそれぞれの重量が徐々に重くなるように正極及び負極を交互に積み重ねて、複数の第１半積層体を形成し、第２積層工程では、正極及び負極のそれぞれの重量が徐々に軽くなるように正極及び負極を交互に積み重ねて、複数の第２半積層体を形成し、第３積層工程では、組み合わせ工程において選択された一の第１半積層体と一の第２半積層体とを、第１半積層体における積み終わり側の電極と第２半積層体における積み終わり側の電極とが互いに対向するように積み重ねて電極組立体を形成してもよい。
【００１９】
また、一実施形態において、電極組立体の製造装置は、第１積層部では、正極及び負極のそれぞれの重量が徐々に重くなるように正極及び負極を交互に積み重ねて、複数の第１半積層体を形成し、第２積層部では、正極及び負極のそれぞれの重量が徐々に軽くなるように正極及び負極を交互に積み重ねて、複数の第２半積層体を形成し、第３積層部では、組み合わせ部によって選択された一の第１半積層体と一の第２半積層体とを、第１半積層体における積み終わり側の電極と第２半積層体における積み終わり側の電極とが互いに対向するように積み重ねて電極組立体を形成してもよい。
【００２０】
これらの電極組立体の製造方法及び製造装置では、第１半積層体及び第２半積層体のそれぞれの積み終わり側の電極同士が対向するように積み重ねることで、正極及び負極のそれぞれの重量が徐々に軽くなるように又は重くなるような電極組立体を形成することができる。第１半積層体及び第２半積層体は、それぞれ最後に積み重ねられた側の電極同士を互いに対向して積み重ねるだけの簡易な作業で電極組立体を形成することができる。
【００２１】
また、一実施形態において、電極組立体の製造方法は、第１半積層体における積み終わり側の電極の極性と、第２半積層体における積み終わり側の電極の極性とが互いに異なっていてもよい。
【００２２】
また、一実施形態において、電極組立体の製造装置は、第１半積層体における積み終わり側の電極の極性と、第２半積層体における積み終わり側の電極の極性とが互いに異なっていてもよい。
【００２３】
これらの電極組立体の製造方法及び製造装置では、第１半積層体における積み終わり側の電極が正極であれば、第２半積層体における積み終わり側の電極を負極とし、第１半積層体における積み終わり側の電極が負極であれば、第２半積層体における積み終わり側の電極を正極としている。これにより、正極と負極とが交互に積層された電極組立体を形成することができる。
【００２４】
また、一実施形態において、ケースと、ケース内に収容されており、上記の製造方法により製造された電極組立体と、を備える、蓄電装置とすることもできる。
【００２５】
この構成の蓄電装置では、電極組立体全体における正極と負極との重量ばらつきが低減されると共に、正極と負極との間の容量ばらつきが低減された電極組立体を備えることができる。
【発明の効果】
【００２６】
本発明によれば、電極組立体を製造するに際し、電極組立体全体における正極と負極との重量ばらつきを低減すると共に、正極と負極との間の容量ばらつきを低減することができる。また、電極組立体全体における正極と負極との重量ばらつきが低減されると共に、正極と負極との間の容量ばらつきが低減された電極組立体を提供することができる。
【図面の簡単な説明】
【００２７】
【図１】一実施形態に係る電極組立体の製造方法により製造された電極組立体を備える蓄電装置を模式的に示す断面図である。
【図２】図１のＩＩ−ＩＩ線に沿った蓄電装置の断面図である。
【図３】一実施形態に係る電極組立体の製造方法における各工程を示すフローチャートである。
【図４】仕分け工程を説明するための図である。
【図５】第１積層工程及び第２積層工程においてそれぞれ取り出す正極群及び負極群を説明するための図である。
【図６】第１積層工程を説明するための図である。
【図７】第２積層工程を説明するための図である。
【図８】組み合わせ工程を説明するための図である。
【図９】第３積層工程を説明するための図である。
【図１０】一実施形態に係る電極組立体の製造装置の概略構成を示す図である。
【発明を実施するための形態】
【００２８】
以下、図面を参照して一実施形態に係る電極組立体の製造方法及び製造装置について説明する。図面の説明において、同一要素には同一符号を付し、重複する説明を省略する。図面の寸法比率は、説明のものと必ずしも一致していない。
【００２９】
最初に、一実施形態に係る電極組立体の製造方法によって製造される電極組立体を含む蓄電装置について説明する。蓄電装置２００は、たとえばリチウムイオン二次電池などの非水電解質二次電池である。なお、蓄電装置２００としては、二次電池に限られず、たとえば電気二重層キャパシタなどとしてもよい。
【００３０】
図１及び図２に示される蓄電装置２００は、ケース１０と、ケース１０内に収容された電極組立体２０とを備える。ケース１０は、例えばアルミニウム系金属又はステンレス鋼などの金属から形成されていてもよい。電極組立体２０は、正極３０と、負極４０と、正極３０と負極４０との間に配置されたセパレータ５０とを備えている。この電極組立体２０は、後段にて詳述する製造方法によって製造される。
【００３１】
正極３０及び負極４０は、シート状に形成されている。本実施形態の蓄電装置２００では、セパレータ５０はシート状に形成されている。複数の正極３０及び複数の負極４０は、Ｙ軸方向にセパレータ５０を介して交互に積層されている。なお、セパレータ５０は、袋状に形成されてもよい。この場合、袋状のセパレータ５０内には、正極３０が収容される。ケース１０内には、電解液６０が充填され得る。電解液６０の例には、有機溶媒系又は非水系の電解液などが含まれる。
【００３２】
正極３０は、正極金属箔３０Ｂと、正極金属箔３０Ｂ上に設けられた正極活物質層３０Ｃとを備える。正極活物質層３０Ｃは、正極金属箔３０Ｂの両面に設けられ得る。正極金属箔３０Ｂは、例えばアルミニウム箔である。正極活物質層３０Ｃは、正極活物質と導電助材とバインダとを含んでいてもよい。正極活物質の例には、複合酸化物、金属リチウム及び硫黄などが含まれる。複合酸化物は、マンガン、ニッケル、コバルト及びアルミニウムの少なくとも１つとリチウムとを含む。
【００３３】
正極３０は、縁に形成されたタブ３０Ａを有している。タブ３０Ａには、正極活物質が保持されていない。正極３０は、タブ３０Ａを介して導電部材３２に接続されている。導電部材３２は、正極端子３４に接続されている。正極端子３４は、絶縁リング３６を介してケース１０に取り付けられてもよい。
【００３４】
負極４０は、負極金属箔４０Ｂと、負極金属箔４０Ｂ上に設けられた負極活物質層４０Ｃとを備える。負極活物質層４０Ｃは、負極金属箔４０Ｂの両面に設けられ得る。負極金属箔４０Ｂは、例えば銅箔である。負極活物質層４０Ｃは、負極活物質とバインダとを含んでもよい。負極活物質の例には、黒鉛、高配向性グラファイト、メソカーボンマイクロビーズ、ハードカーボン及びソフトカーボンなどのカーボン、リチウム及びナトリウムなどのアルカリ金属、金属化合物及びＳｉＯｘ（０．５≦ｘ≦１．５）などの金属酸化物、ホウ素添加炭素などが含まれる。
【００３５】
負極４０は、縁に形成されたタブ４０Ａを有している。タブ４０Ａには、負極活物質が保持されていない。負極４０は、タブ４０Ａを介して導電部材４２に接続されている。導電部材４２は、負極端子４４に接続されている。負極端子４４は、絶縁リング４６を介してケース１０に取り付けられてもよい。
【００３６】
セパレータ５０の例には、ポリエチレン（ＰＥ）及びポリプロピレン（ＰＰ）などのポリオレフィン系樹脂からなる多孔質フィルム、ポリプロピレン、ポリエチレンテレフタレート（ＰＥＴ）及びメチルセルロースなどからなる織布又は不織布などが含まれる。
【００３７】
本実施形態の蓄電装置２００では、第１金属板１２と、第２金属板１４と、絶縁部材１６とを更に備えている。ケース１０と電極組立体２０との間には、第２金属板１４が配置される。第２金属板１４は、例えば、単一の板状部材であるが、積層された複数の金属箔であってもよい。第２金属板１４には、活物質層が設けられていない。第２金属板１４は、安全対策用の未塗工電極である。
【００３８】
ケース１０と第２金属板１４との間には、第１金属板１２が配置される。第１金属板１２は、例えば、単一の板状部材であるが、積層された複数の金属箔であってもよい。第１金属板１２には、活物質層が設けられていない。第１金属板１２は、安全対策用の未塗工電極である。第１金属板１２は、袋状の絶縁部材１６に収容されている。絶縁部材１６は、例えば樹脂シートなどの樹脂層として形成されてもよい。
【００３９】
本実施形態の蓄電装置２００では、第１金属板１２、絶縁部材１６及び第２金属板１４によって安全対策用の短絡ユニット６５が構成される。安全対策用の短絡ユニット６５は、蓄電装置２００を圧潰させる力が加わったり、蓄電装置２００に釘などが刺さったりした場合に、未塗工電極である第１金属板１２と第２金属板１４との間で短絡電流を流すことにより、活物質が塗工された正極３０と負極４０とが短絡した時の熱暴走を防止する。
【００４０】
図３は、一実施形態に係る電極組立体２０の製造方法における各工程を示すフローチャートである。図３に示すように、一実施形態に係る電極組立体２０の製造方法は、仕分け工程Ｓ１と、第１積層工程Ｓ２と、第２積層工程Ｓ３と、組み合わせ工程Ｓ４と、第３積層工程Ｓ５と、を含んでいる。
【００４１】
電極組立体２０の製造方法では、まず、複数の正極３０及び負極４０のそれぞれについて、重量に基づいて設定されたｎＰ群の正極群及びｎＮ群の負極群にそれぞれ仕分ける（仕分け工程Ｓ１）。例えば、一実施形態の電極組立体２０の製造方法では、図４に示すように、重量ＷＰの分布がＷ０≦ＷＰ＜Ｗ８の複数の正極３０について、正極３０の重量ＷＰに基づいて設定された８つの正極群（Ｐ１：Ｗ０≦ＷＰ＜Ｗ１、Ｐ２：Ｗ１≦ＷＰ＜Ｗ２、Ｐ３：Ｗ２≦ＷＰ＜Ｗ３、Ｐ４：Ｗ３≦ＷＰ＜Ｗ４、Ｐ５：Ｗ４≦ＷＰ＜Ｗ５、Ｐ６：Ｗ５≦ＷＰ＜Ｗ６、Ｐ７：Ｗ６≦ＷＰ＜Ｗ７、Ｐ８：Ｗ７≦ＷＰ＜Ｗ８）に仕分けし、重量ＷＮの分布がＷ０≦ＷＮ＜Ｗ９の複数の負極４０について、負極４０の重量ＷＮに基づいて設定された９つの負極群（Ｎ１：Ｗ０≦ＷＮ＜Ｗ１、Ｎ２：Ｗ１≦ＷＮ＜Ｗ２、Ｎ３：Ｗ２≦ＷＮ＜Ｗ３、Ｎ４：Ｗ３≦ＷＮ＜Ｗ４、Ｎ５：Ｗ４≦ＷＮ＜Ｗ５、Ｎ６：Ｗ５≦ＷＮ＜Ｗ６、Ｎ７：Ｗ６≦ＷＮ＜Ｗ７、Ｎ８：Ｗ７≦ＷＮ＜Ｗ８、Ｎ９：Ｗ８≦ＷＮ＜Ｗ９）に仕分けることができる。
【００４２】
また、仕分け工程Ｓ１では、後述する第１積層工程Ｓ２及び第２積層工程Ｓ３において交互に積み重ねる際に、隣り合う正極３０と負極４０とにおいて正極３０の容量Ｐに対する負極４０の容量Ｎの比（Ｎ／Ｐ）が所定の値となるような正極群（Ｐ１〜Ｐ８）及び負極群（Ｎ１〜Ｎ９）が設定されている。
【００４３】
以下、複数の正極群及び負極群を重量の小さな群から大きな群となるようにそれぞれ順番に並べた際に、重量の最も小さな１番目の正極群から重量がｍＰ番目の正極群までを抽出すると共に、重量の最も小さな１番目の負極群から重量がｍＮ番目の負極群までを抽出したグループを第１グループＧ１とし、ｍＰ＋１番目の正極群から最も重量の大きなｎＰ番目の正極群までを抽出すると共に、ｍＮ＋１番目の負極群から最も重量の大きなｎＮ番目の負極群までを抽出したグループを第２グループＧ２として説明する。例えば、一実施形態の電極組立体２０の製造方法では、図５に示すように、最も重量の小さな１番目の正極群Ｐ１及び負極群Ｎ１から４番目の正極群Ｐ４及び負極群Ｎ４までをそれぞれ抽出した第１グループＧ１と、５番目の正極群Ｐ５から最も重量の大きな８番目の正極群Ｐ８を抽出すると共に、５番目の負極群Ｎ５から最も重量の大きな９番目の負極群Ｎ９を抽出した第２グループＧ２とする。
【００４４】
次に、第１グループＧ１の正極群及び負極群から交互に正極３０及び負極４０を取り出し、正極３０及び負極４０のそれぞれの重量が徐々に重くなるように正極３０及び負極４０を交互に積み重ねて、複数の第１半積層体２０Ａを形成する（第１積層工程Ｓ２）。例えば、一実施形態の電極組立体２０の製造方法では、図６に示すように、負極群Ｎ１、正極群Ｐ１、負極群Ｎ２、正極群Ｐ２、負極群Ｎ３、正極群Ｐ３、負極群Ｎ４、及び正極群Ｐ４の順番で交互に負極４０及び正極３０を取り出す。また、負極４０と正極３０とを取り出す間には、別途用意されたセパレータ５０が取り出される。これにより、正極３０及び負極４０のそれぞれの重量ＷＰ，ＷＮが積層されるにしたがって徐々に重くなった複数の第１半積層体２０Ａが形成される。
【００４５】
次に、第２グループＧ２の正極群及び負極群から交互に正極３０及び負極４０を取り出し、正極３０及び負極４０のそれぞれの重量が徐々に重くなるように正極３０及び負極４０を交互に積み重ねて、複数の第２半積層体２０Ｂを形成する（第２積層工程Ｓ３）。例えば、一実施形態の電極組立体２０の製造方法では、図７に示すように、負極群Ｎ５、正極群Ｐ５、負極群Ｎ６、正極群Ｐ６、負極群Ｎ７、正極群Ｐ７、負極群Ｎ８、正極群Ｐ８、負極群Ｎ９の順番で交互に正極３０及び負極４０を取り出す。また、第２積層工程Ｓ３においても、負極４０と正極３０との間には、別途用意されたセパレータ５０が配置される。これにより、正極３０及び負極４０のそれぞれの重量が積層されるにしたがって徐々に重くなった複数の第２半積層体２０Ｂが形成される。
【００４６】
次に、複数の第１半積層体２０Ａ１〜２０Ａｎ及び複数の第２半積層体２０Ｂ１〜２０Ｂｎの中から、一の第１半積層体２０Ａと一の第２半積層体２０Ｂとを合わせた重量ＷＴが目標値ＷＤを基準とした許容範囲内となるように、一の第１半積層体２０Ａと一の第２半積層体２０Ｂとの組合せを選択する（組み合わせ工程Ｓ４）。例えば、一実施形態の電極組立体２０の製造方法では、図８に示すように、一の第１半積層体２０Ａと一の第２半積層体２０Ｂとを合わせた重量ＷＴが目標値ＷＤを基準とした所定の範囲内となるように、一の第１半積層体２０Ａ３と一の第２半積層体２０Ｂ２との組合せを選択したり、一の第１半積層体２０Ａｎ−１と一の第２半積層体２０Ｂ４との組合せを選択したりすることができる。
【００４７】
次に、組み合わせ工程Ｓ４において選択された一の第１半積層体２０Ａと一の第２半積層体２０Ｂとを、積層方向に沿って徐々に重くなるように積み重ねて電極組立体２０を形成する（第３積層工程Ｓ５）。例えば、一実施形態の電極組立体２０の製造方法では、図９に示すように、組み合わせ工程Ｓ４において選択された一の第１半積層体２０Ａ３における積み終わり側の電極（Ｐ４（３０））と、組み合わせ工程Ｓ４において選択された一の第２半積層体２０Ｂ２における積み始め側（Ｎ５（４０））の電極とを、セパレータ５０を介して互いに対向するように積み重ねて電極組立体２０を形成することができる。すなわち、第１半積層体２０Ａ３における正極群Ｐ４から取り出した正極３０と、第２半積層体２０Ａ３における負極群Ｎ５から取り出した負極４０とがセパレータ５０を介して互いに対向するように積み重ねて電極組立体２０を形成することができる。
【００４８】
以上、仕分け工程Ｓ１〜第３積層工程Ｓ５を経ることにより、図２に示すような電極組立体２０が製造される。
【００４９】
次に、上述した電極組立体の製造方法によって電極組立体２０を製造するための電極組立体の製造装置７０について説明する。図１０は、一実施形態に係る電極組立体の製造装置７０の概略構成を示す図である。図１０に示すように、電極組立体２０の製造装置７０は、制御部９０と、仕分け部７１，８１と、第１積層部１０１と、第２積層部１１１と、第３積層部１２１と、を備えている。
【００５０】
制御部９０は、電極組立体２０の製造装置７０における各種動作を制御する部分であり、ＣＰＵ（Central Processing Unit）、ＲＯＭ（Read OnlyMemory）、ＲＡＭ（Random Access Memory）、ハードディスクなどで構成される。図１０に示すように、制御部９０は、組み合わせ部９３を主に有している。このような概念的な部分が実行する機能は、ＣＰＵなどの制御のもと実行される。
【００５１】
仕分け部７１は、複数の正極３０について、重量ＷＰに基づいて設定された８つの正極群Ｐ１〜Ｐ８に仕分ける部分である。具体的には、搬送装置７２が、複数の正極３０が収納されたストッカー７３から１枚の正極３０を取り出す。搬送装置７２は、例えばレール７９に沿って図１０に示す前後（奥行）左右方向に移動可能に配置されており、正極３０を吸着して搬送する。ストッカー７３には、重量計が内蔵されており、搬送装置７２により正極３０が取り出された際の重量の変化から、搬送装置７２が取り出した正極３０の重量を算出する。
【００５２】
ストッカー７３に隣接する位置には、８つの正極群Ｐ１〜Ｐ８にそれぞれ対応するストッカー７５が配置されている。図１０には図示しないが、例えば、奥行方向に８つのストッカー７５が配置されている。搬送装置７２は、先の工程にて算出された重量に基づいて、取り出した正極３０を、その正極３０の重量に対応する正極群のストッカー７５に格納する。
【００５３】
仕分け部８１は、複数の負極４０について、重量ＷＮ基づいて設定された９つの負極群Ｎ１〜Ｎ９に仕分ける部分である。具体的には、搬送装置８２が、複数の負極４０が収納されたストッカー８３から１枚の負極４０を取り出す。搬送装置８２は、図１０に示す前後左右方向に移動可能に配置されており、負極４０を吸着して搬送する。ストッカー８３には、重量計が内蔵されており、搬送装置８２により負極４０が取り出された際の重量の変化から、搬送装置８２が取り出した負極４０の重量を算出する。
【００５４】
ストッカー８３に隣接する位置には、９つの負極群Ｎ１〜Ｎ９にそれぞれ対応するストッカー８５が配置されている。図１０には図示しないが、例えば、奥行方向に９つのストッカー８５が配置されている。搬送装置８２は、先の工程にて算出された重量に基づいて、取り出した負極４０を、その負極の重量に対応する負極群のストッカー８５に格納する。
【００５５】
第１積層部１０１は、８つの正極群Ｐ１〜Ｐ８を重量の小さな群から大きな群となるようにそれぞれ順番に並べた際の最も重量の小さな１番目の正極群Ｐ１から４番目の正極群Ｐ４と、９つの負極群Ｎ１〜Ｎ９を重量の小さな群から大きな群となるようにそれぞれ順番に並べた際の最も重量の小さな１番目の負極群Ｎ１から４番目の負極群Ｎ４との中から正極３０及び負極４０を交互に取り出し、正極３０及び負極４０のそれぞれの重量が徐々に重くなるように正極３０及び負極４０を交互に積み重ねて、複数の第１半積層体２０Ａを形成する部分である。
【００５６】
例えば、搬送装置７７は、負極群Ｎ１のストッカー８５から負極４０を取り出し、ストッカー８５に隣接して配置された位置合わせ部１０４にて位置合わせを行った後、位置合わせ部１０４に隣接して配置されたストッカー１０５に載置する。搬送装置７７は、負極４０（正極３０）を吸着して搬送する。位置合わせ部１０４での位置合わせは、負極４０に対する吸着位置を調整する。これにより、ストッカー１０５の所定位置に負極４０を載置することができる。次に、搬送装置７７は、図示しないセパレータ群からセパレータ５０を取り出し、負極４０と同様の位置合わせを行った後、ストッカー１０５に載置する。次に、搬送装置７７は、正極群Ｐ１のストッカー７５から正極３０を取り出し、ストッカー７５に隣接して配置された位置合わせ部１０３にて位置合わせを行った後、位置合わせ部１０３に隣接して配置されたストッカー１０５に載置する。すなわち、搬送装置７７は、先にストッカー１０５に載置された負極４０及びセパレータ５０の上に正極３０を積み重ねる。
【００５７】
上述したように、負極群Ｎ１、セパレータ群、正極群Ｐ１、セパレータ群、負極群Ｎ２、セパレータ群、正極群Ｐ２、セパレータ群、負極群Ｎ３、セパレータ群、正極群Ｐ３、セパレータ群、負極群Ｎ４、セパレータ群及び正極群Ｐ４の順番でそれぞれの群の中から負極４０、セパレータ５０及び正極３０をそれぞれ取り出し、ストッカー１０５に載置する。これにより、正極３０及び負極４０のそれぞれの重量が徐々に重くなるように積み重ねられた、複数の第１半積層体２０Ａが形成される。複数の第１半積層体２０Ａは、図１０の奥行方向に配置されている。
【００５８】
第２積層部１１１は、８つの正極群Ｐ１〜Ｐ８を重量の小さな群から大きな群となるようにそれぞれ順番に並べた際の重量の大きさが５番目の正極群Ｐ５から最も重量の大きな８番目の正極群Ｐ８と、９つの負極群Ｎ１〜Ｎ９を重量の小さな群から大きな群となるようにそれぞれ順番に並べた際の重量の大きさが５番目の負極群Ｎ５から重量が最も大きな９番目の負極群Ｎ９との中から正極３０及び負極４０を交互に取り出し、正極３０及び負極４０のそれぞれの重量が徐々に重くなるように正極３０及び負極４０を交互に積み重ねて、複数の第２半積層体２０Ｂを形成する部分である。
【００５９】
例えば、具体的な第２半積層体２０Ｂの形成方法は、第１半積層体２０Ａの形成方法と同様であるので、ここでは詳細な説明は省略する。すなわち、負極群Ｎ５、セパレータ群、正極群Ｐ５、セパレータ群、負極群Ｎ６、セパレータ群、正極群Ｐ６、セパレータ群、負極群Ｎ７、セパレータ群、正極群Ｐ７、セパレータ群、負極群Ｎ８、セパレータ群、正極群Ｐ８、セパレータ群及び負極群Ｎ９の順番でそれぞれの群の中から負極４０、セパレータ５０及び正極３０をそれぞれ取り出し、ストッカー１０５に載置する。これにより、正極３０及び負極４０のそれぞれの重量が徐々に重くなるように積み重ねられた、複数の第２半積層体２０Ｂが形成される。複数の第２半積層体２０Ｂは、図１０の奥行方向に配置されている。なお、第１半積層体２０Ａ及び第２半積層体２０Ｂを形成するにあたり、ストッカー１０５は配置されていなくてもよい。
【００６０】
組み合わせ部９３は、複数の第１半積層体２０Ａ及び複数の第２半積層体２０Ｂの中から、一の第１半積層体２０Ａと一の第２半積層体２０Ｂとを合わせた重量ＷＴが目標値ＷＤを基準とした許容範囲内となるように、一の第１半積層体２０Ａと一の第２半積層体２０Ｂとの組合せを選択する部分である。
【００６１】
具体的には、第１積層部１０１及び第２積層部１１１において、第１半積層体２０Ａ及び第２半積層体２０Ｂがそれぞれ形成された時点で、正極３０及び負極４０の合計重量が記憶部に記憶されているので、組み合わせ部９３は、これらの情報に基づいて、一の第１半積層体２０Ａと一の第２半積層体２０Ｂとを合わせた重量ＷＴが目標値ＷＤを基準とした許容範囲内となるように、一の第１半積層体２０Ａと一の第２半積層体２０Ｂとの組合せを選択する。組み合わせ部９３は、このように選択した選択情報を記憶部に記憶しておいてもよい。
【００６２】
第３積層部１２１は、組み合わせ部９３において選択された一の第１半積層体２０Ａと一の第２半積層体２０Ｂとを、積層方向に沿って徐々に重くなるように積み重ねて電極組立体２０を形成する部分である。第３積層部１２１では、図９に示すように、一の第１半積層体２０Ａ３における積み終わり側の電極（Ｐ４（３０））と、一の第２半積層体２０Ｂ２における積み始め側（Ｎ５（４０））の電極とが、セパレータ５０を介して互いに対向するように積み重ねられて電極組立体２０が形成される。例えば、第３積層部１２１は、一のストッカー１０５内に形成された第２半積層体２０Ｂをチャック（図示せず）などで保持して、一のストッカー１０５内に形成された第１半積層体２０Ａの上方まで移動させ、第１半積層体２０Ａに対して位置合わせをした状態でチャックを開放する。これにより、一の第１半積層体２０Ａ３における積み終わり側の電極と、一の第２半積層体２０Ｂ２における積み始め側の電極とを、セパレータ５０を介して互いに対向するように積み重ねて電極組立体２０が形成することができる。
【００６３】
上記実施形態の電極組立体２０の製造方法及び製造装置７０では、第１半積層体２０Ａと第２半積層体２０Ｂとをそれぞれ複数形成した後に、第１半積層体２０Ａと第２半積層体２０Ｂとを合わせた重量ＷＴが目標値ＷＤを基準とした許容範囲内となるように選択し、これらを積み重ねている。これにより、電極組立体２０としての全体重量のばらつきを所定内の範囲に設定し易くできる。また、重量ＷＰ，ＷＮに基づいてそれぞれ設定された正極群（Ｐ１〜Ｐ８）及び負極群（Ｎ１〜Ｎ９）に仕分けられた正極３０及び負極４０を、正極３０及び負極４０のそれぞれの重量ＷＰ，ＷＮが徐々に重くなるように、正極３０及び負極４０を交互に積み重ねるので、隣り合う正極３０と負極４０との重量差を一定の範囲に設定し易くできる。すなわち、隣り合う正極と負極とにおいて、正極３０の容量Ｐに対する負極４０の容量Ｎの比（Ｎ／Ｐ）を所定内の範囲に設定し易くなる。
【００６４】
ここで、仕分け工程Ｓ１では、第１積層工程Ｓ２及び第２積層工程Ｓ３において交互に積み重ねる際に、隣り合う正極３０の容量Ｐに対する負極４０の容量Ｎの比（Ｎ／Ｐ）が所定の値となるような正極群（Ｐ１〜Ｐ８）及び負極群（Ｎ１〜Ｎ９）に設定することができる。具体的には、互いに隣接して配置されるようになる正極及び負極を考慮し、正極群及び負極群の重量を設定する。例えば、正極群Ｐ１及び負極群Ｎ１に属する正極３０及び負極４０は、互いに隣接して配置されることを考慮して、正極群Ｐ１に属することとなる正極３０の重量と、負極群Ｎ１に属することとなる負極４０の重量とが設定される。このような正極群（Ｐ１〜Ｐ８）及び負極群（Ｎ１〜Ｎ９）の設定がなされることにより、正極の容量Ｐに対する負極の容量Ｎの比（Ｎ／Ｐ）が所定の値となるようにコントロールすることができるので、性能に優れた電極組立体２０を提供することができる。
【００６５】
以上、一実施形態について説明したが、本発明は、上記実施形態に限られるものではなく、発明の趣旨を逸脱しない範囲で種々の変更が可能である。
【００６６】
上記実施形態の電極組立体２０の製造方法及び製造装置７０では、各正極群（Ｐ１〜Ｐ８）及び負極群（Ｎ１〜Ｎ９）から取り出す正極３０及び負極４０の回数を１回ずつとする例（連続的に重くなる）を挙げて説明したが、本発明はこれに限定されるものではない。例えば、負極群Ｎ１及び正極群Ｐ１から１回ずつ、負極群Ｎ２及び正極群Ｐ２から２回ずつ、負極群Ｎ３及び正極群Ｐ３から３回ずつ、負極群Ｎ４及び正極群Ｐ４から４回ずつ（段階的に重くなるように）、正極３０及び負極４０を取り出してもよい。また、例えば、負極群Ｎ５及び正極群Ｐ５から４回ずつ、負極群Ｎ６及び正極群Ｐ６から３回ずつ、負極群Ｎ７及び正極群Ｐ７から２回ずつ、負極群Ｎ８、正極群Ｐ８及び負極群Ｎ９から１回ずつ（段階的に重くなるように）、正極３０及び負極４０を取り出すようにしてもよい。
【００６７】
ストッカー７３に収納されている複数の正極３０の重量分布は、正極３０の設計重量を中心として正規分布に従っている場合が多い。上述したように、正規分布に従って多く出現する正極３０の正極群（例えば、正極群Ｐ４及びＰ５など）から取り出す回数を相対的に多くすることで、所定の正極群に属する正極３０ばかりがなくなるようなこと、又は、余るようなことを回避することができる。ストッカー８３に収容されている複数の負極４０についても同様のことが言える。なお、上述した正極群及び負極群から取り出す正極３０及び負極４０の回数は例示であり、上述したものに限定されるものではない。
【００６８】
また、上記実施形態の電極組立体２０の製造方法及び製造装置７０とは反対に、正極３０及び負極４０のそれぞれの重量が徐々に軽くなるように積み重ねて、複数の第１半積層体２０Ａを形成し、正極３０及び負極４０のそれぞれの重量が徐々に軽くなるように積み重ねて、複数の第２半積層体２０Ｂを形成してもよい。この場合、組み合わせ部９３において選択された一の第１半積層体２０Ａと一の第２半積層体２０Ｂとを、積層方向に沿って徐々に軽くなるように積み重ねて電極組立体２０を形成することができる。
【００６９】
上記実施形態の電極組立体２０の製造方法及び製造装置７０では、図５に示すように、最も重量の小さな１番目の正極群Ｐ１及び負極群Ｎ１から４番目の正極群Ｐ４及び負極群Ｎ４までをそれぞれ抽出したグループを第１グループＧ１とし、５番目の正極群Ｐ５から最も重量の大きな８番目の正極群Ｐ８を抽出すると共に、５番目の負極群Ｎ５から最も重量の大きな９番目の負極群Ｎ９を抽出したグループを第２グループＧ２として説明をしたが、本発明はこれに限定されるものではない。例えば、最も重量の小さな１番目の正極群Ｐ１から４番目の正極群Ｐ４までを抽出すると共に、最も重量の小さな１番目の負極群Ｎ１から５番目の負極群Ｎ５までを抽出したグループを第１グループＧ１とし、５番目の正極群Ｐ５から最も重量の大きな８番目の正極群Ｐ８を抽出すると共に、６番目の負極群Ｎ６から最も重量の大きな９番目の負極群Ｎ９を抽出したグループを第２グループＧ２としてもよい。すなわち、他の実施形態の電極組立体２０の製造方法では、負極群Ｎ１、正極群Ｐ１、負極群Ｎ２、正極群Ｐ２、負極群Ｎ３、正極群Ｐ３、負極群Ｎ４、正極群Ｐ４及び負極群Ｎ５の順番で交互に負極４０及び正極３０を取り出して第１半積層体２０Ａを形成し、正極群Ｐ５、負極群Ｎ６、正極群Ｐ６、負極群Ｎ７、正極群Ｐ７、負極群Ｎ８、正極群Ｐ８及び負極群Ｎ９の順番で交互に正極３０及び負極４０を取り出して第２半積層体２０Ｂを形成してもよい。
【００７０】
上記実施形態の電極組立体２０の製造方法及び製造装置７０では、第２グループＧ２の正極３０及び負極４０を交互に取り出し、正極３０及び負極４０のそれぞれの重量が徐々に重くなるように正極３０及び負極４０を交互に積み重ねて、複数の第２半積層体２０Ｂを形成する例を挙げて説明したが、本発明はこれに限定されるものではない。例えば、第２グループＧ２の正極３０及び負極４０を交互に取り出し、正極３０及び負極４０のそれぞれの重量が徐々に軽くなるように正極３０及び負極４０を交互に積み重ねて、複数の第２半積層体２０Ｂを形成してもよい。すなわち、他の実施形態の電極組立体２０の製造方法では、負極群Ｎ９、正極群Ｐ８、負極群Ｎ８、正極群Ｐ７、負極群Ｎ７、正極群Ｐ６、負極群Ｎ６、正極群Ｐ５及び負極群Ｎ５の順番で交互に正極３０及び負極４０を取り出して第２半積層体２０Ｂを形成してもよい。この場合には、図９に示すように、一の第１半積層体２０Ａ３の積み終わり側の電極（Ｐ４（３０））と、一の第２半積層体２０Ｂ２の積み終わり側（Ｎ５（４０））の電極とが、セパレータ５０を介して互いに対向するように積み重ねられて電極組立体２０が形成される。例えば、第３積層部１２１は、一のストッカー１０５内に形成された第２半積層体２０Ｂをチャック（図示せず）などで保持して、一のストッカー１０５内に形成された第１半積層体２０Ａの上方まで移動させ、第１半積層体２０Ａに対して位置合わせ及び上下反転させた状態でチャックを開放してもよい。
【００７１】
上記実施形態の電極組立体２０の製造方法及び製造装置７０では、第１半積層体２０Ａと第２半積層体２０Ｂとを積み重ねて電極組立体２０としたときに、電極組立体２０の両端の電極の極性が負極となる例を挙げて説明したが、本発明はこれに限定されるものではなく、例えば、電極組立体２０の両端の電極の極性が正極となってもよい。この場合には、例えば、正極群Ｐ１、負極群Ｎ１、正極群Ｐ２、負極群Ｎ２、正極群Ｐ３、負極群Ｎ３、正極群Ｐ４、負極群Ｎ４及び正極群Ｐ５、の順番で交互に正極３０及び負極４０を取り出して第１半積層体を形成すると共に、負極群Ｎ５、正極群Ｐ６、負極群Ｎ６、正極群Ｐ７、負極群Ｎ７、正極群Ｐ８、負極群Ｎ８、正極群Ｐ９の順番で交互に負極４０及び正極３０を取り出して第２半積層体２０Ｂを形成し、第１半積層体における積み終わり側の電極（正極）と、第２半積層体における積み始め側の電極（負極）とをセパレータを介して対向するように積み重ねることにより、電極組立体２０を形成してもよい。
【００７２】
また、上記実施形態の電極組立体２０の製造方法及び製造装置７０では、複数の正極３０及び負極４０のそれぞれについて、重量に基づいて設定された８つの正極群Ｐ１〜Ｐ８及び９つの負極群Ｎ１〜Ｎ９にそれぞれ仕分ける例を挙げて説明したが、本発明はこれに限定されるものではない。例えば、複数の正極３０及び負極４０のそれぞれについて、重量に基づいて設定された７つの正極群Ｐ１〜Ｐ７及び８つの負極群Ｎ１〜Ｎ８にそれぞれ仕分けるなど、重量に基づいて複数の群が設定されていればよい。
【００７３】
また、上記実施形態の電極組立体２０の製造方法及び製造装置７０では、活物質の重量に関連性が高い電極の重量に基づいて、仕分け、積み重ね、組合せなどを行う例を挙げて説明した。この発明の思想に基づけば、本発明は、活物質の重量に関連性が高い、例えば、電極の厚みなどに基づいて、仕分け、積み重ね、組合せなどを行うこともできる。
【符号の説明】
【００７４】
１０…ケース、１２…第１金属板、１４…第２金属板、１６…絶縁部材、２０…電極組立体、２０Ａ１〜２０Ａｎ…第１半積層体、２０Ｂ１〜２０Ｂｎ…第２半積層体、３０…正極、３２…導電部材、４０…負極、４２…導電部材、５０…セパレータ、６０…電解液、６５…短絡ユニット、７０…電極組立体の製造装置、７１，８１…仕分け部、７２，８２…搬送装置、７３，７５，８３，８５，１０５…ストッカー、７７…搬送装置、７９…レール、９０…制御部、９３…組み合わせ部、１０１…第１積層部、１０３，１０４…位置合わせ部、１１１…第２積層部、１２１…第３積層部、２００…蓄電装置、Ｇ１…第１グループ、Ｇ２…第２グループ、Ｎ１〜Ｎ９…負極群、Ｐ１〜Ｐ８…正極群、Ｓ１…仕分け工程、Ｓ２…第１積層工程、Ｓ３…第２積層工程、Ｓ４…組み合わせ工程、Ｓ５…第３積層工程。
【図１】
2015115097.tif 000003
【図２】
2015115097.tif 000004
【図３】
2015115097.tif 000005
【図４】
2015115097.tif 000006
【図５】
2015115097.tif 000007
【図６】
2015115097.tif 000008
【図７】
2015115097.tif 000009
【図８】
2015115097.tif 000010
【図９】
2015115097.tif 000011
【図１０】
2015115097.tif 000012